(57)【要約】【課題】  専用アングルを用いることなく光学シート類を支持する支持構造を提供する。【解決手段】  表示パネル８に入射される光の特性を調整する光学シート類６の四辺の周縁部が、前記表示パネル８を支持するフレーム７と、前記光源４を支持するランプホルダ５との間に挟持されてなるものであり、ランプホルダ５は、それぞれ略Ｌ字形状に形成される４つの部材５１，５２を備え、該部材５１，５２の先端部どうしが突き合わせて配置されて開口した四辺形に形成されるとともに、開口部の内周面には、前記光源４から発せられた光を反射して表示パネル８に入射させる傾斜状の反射面５０３が形成される。【選択図】  図１
2006154325.tif 000002
【特許請求の範囲】
【請求項１】
光源と表示パネルとの間に配置されて光源から表示パネルに入射される光の特性を調整する光学シート類を支持する光学シート類の支持構造であって、該光学シート類の四辺が、開口した四辺形に形成され前記光源を支持する第１の枠体と、開口した四辺形に形成され前記表示パネルを支持する第２の枠体との間に挟持されることにより該光学シート類が支持されることを特徴とする光学シート類の支持構造。
【請求項２】
前記第１の枠体は、それぞれ略Ｌ字形状に形成される４つの部材を備え、該部材の先端どうしが突き合わされて配置されることにより開口した四辺形に形成されることを特徴とする請求項１に記載の光学シート類の支持構造。
【請求項３】
前記第１の枠体は、略直線棒状に形成される部材をさらに備え、前記略Ｌ字形状に形成される部材の先端どうしの間に該略直線棒状に形成される部材が配置されることにより開口した四辺形に形成されることを特徴とする請求項２に記載の光学シート類の支持構造。
【請求項４】
前記第１の枠体の開口部の内周面には、前記光源から発せられる光を反射して表示パネルに入射させる反射面が形成されることを特徴とする請求項１から請求項３のいずれかに記載の光学シート類の支持構造。
【請求項５】
前記請求項１から請求項４のいずれかに記載の光学シート類の支持構造を備えることを特徴とする表示装置。
【発明の詳細な説明】
【技術分野】
【０００１】
本発明は、光学シート類の支持構造およびこの支持構造を備える表示装置に関し、液晶表示装置に好適に適用される光学シートの支持構造およびこの支持構造を備える表示装置に関する。
【背景技術】
【０００２】
平型の表示装置のうち、たとえば透過型の液晶表示装置は、表示パネル（すなわち液晶パネル）の背面側に光源を配置し、この光源から発せられる光を透過させることによって、表示パネル上に画像を可視状態に表示する。そして、これら光源と表示パネルの間には、光源から表示パネルに入射する光の特性を調整するために、拡散板、拡散シート、レンズシート、偏光反射フィルムなどの板状あるいはシート状の部材が積み重ねられるように配置される。なお、以下光源と表示パネルとの間に配置されるこれら板状あるいはシート状の部材を、まとめて「光学シート類」と称する。
【０００３】
このような表示装置の光源として一般に用いられる冷陰極管は、水銀を有しているから、不要になった冷陰極管は表示装置から取り外して回収する必要がある。また、故障が生じた場合や冷陰極管の寿命の場合などにおいても、表示装置を分解して冷陰極管の交換する必要が生じることがある。しかしながら光源の冷陰極管は、表示パネルや光学シート類よりも背面側に配置されているから、冷陰極管を取り外すためには、まず表示パネルや光学シート類を取り外さなければならず、また、光学シート類を１枚ずつ取り外す構成では分解作業に手間がかかる。このため、光学シート類を表示装置から容易に取り外すことができる構成が望まれている。
【０００４】
図６は、光学シート類の取り外しが容易な構造を備える従来の表示装置の組み付け構造を模式的に示した分解斜視図である。この図６に示す表示装置１０１は、平板状に形成されるバックライトアングル１０２上に反射シート１０３が布設され、その上に冷陰極管１０４が配置されてランプホルダ１０５により保持される。このランプホルダ１０５は、たとえば合成樹脂材料などにより形成される略棒状の部材であり、バックライトアングル１０２の短辺に沿って装着されることにより、冷陰極管１０４の両端が保持される。
【０００５】
そして光学シート類１０６が専用アングル１１０によりまとめて支持され、この専用アングル１１０に支持された状態でランプホルダ１０５上に配置される。この専用アングル１１０は、それぞれ開口した四辺形に形成される前面側の部材１１０ａと背面側の部材１１０ｂとを備える。これら前面側の部材１１０ａと背面側の部材１１０ｂとの間に光学シート類１０６がまとめて挟持され、前面側の部材１１０ａと背面側の部材１１０ｂとがネジなどにより一体に結合されることにより光学シート類１０６が支持される。この専用アングル１１０の前面には、開口した四辺形に形成されるフレーム１０７が配置され、このフレーム１０７の前面に表示パネル１０８が配置される。その上から開口した四辺形に形成されるベゼル１０９を装着して固定する。
【０００６】
この図６に示す構造によれば、光学シート類１０６は専用アングル１１０によってまとめて支持され、その状態でランプホルダ１０５とフレーム１０７との間に配置される。このため、表示装置１０１を分解する際には、専用アングル１１０を取り外すことで光学シート類１０６をまとめて取り外すことができる。
【発明の開示】
【発明が解決しようとする課題】
【０００７】
しかしながら、光学シート類を保持する専用アングルを備える構成では、表示装置の部品点数が増加し、表示装置の重量の増加や製造コストの上昇を招くという問題点を有する。
【０００８】
上記実情に鑑み、本発明が解決しようとする課題は、光源の取り外しや交換が容易な光学シート類の支持構造または表示装置を提供すること、あるいは、専用アングルを用いずに光学シート類を支持することができる光学シート類の支持構造または表示装置を提供することである。
【課題を解決するための手段】
【０００９】
前記課題を解決するため、光源と表示パネルとの間に配置されて光源から表示パネルに入射される光の特性を調整する光学シート類の四辺を、開口した四辺形に形成されて光源を支持する第１の枠体と、開口した四辺形に形成されて表示パネルを支持する第２の枠体との間に挟持することにより、光学シート類を支持する構造とする。
【００１０】
この第１の枠体は、それぞれ略Ｌ字形状に形成される４つの部材を備え、これらの部材の先端どうしを突き合わせるように配置することにより、開口した四辺形の枠体に形成される。また、これら略Ｌ字形状に形成される部材の先端どうしの間に、さらに略直線棒状に形成される部材を配置することにより開口した四辺形の枠体に形成されるものであってもよい。
【００１１】
また、この第１の枠体の内周面には、光源から発せられる光を反射して表示パネルに入射させる反射面が形成される。
【発明の効果】
【００１２】
光学シート類は、光源を支持する第１の枠体と、表示パネルを支持する第２の枠体との間に挟持されて支持されるから、光学シート類を支持するための専用アングルが不要になる。このため、部品点数を削減することができ、表示装置の軽量化や、製造コストの削減を図ることができる。
【００１３】
そして、表示装置を分解して光源を取り外す場合において、光学シート類が第１の枠体と第２の枠体との間に支持された状態のままで表示装置から取り外すことができる。言い換えれば、少なくとも光学シート類、第１の枠体及び第２の枠体とを一体的にまとめて取り外すことができ、これにより直ちに光源にアクセスすることができるようになる。したがって、光学シート類を１枚ずつばらけて取り外す必要がなく、冷陰極管の取り外しを容易に行うことができる。
【００１４】
また、光学シート類は、その四辺の周縁部が第１の枠体と第２の枠体との間に挟持されるから、光学シート類の変形が抑制され、第１の枠体と第２の枠体との間から抜け落ちを防止できる。
【００１５】
ここで、第１の枠体は、略Ｌ字形状に形成される４個の部材を組み合わせて構成されるものであるが、少なくとも対角に位置する部材どうしは同一形状のものとすることができる。このため、この略Ｌ字形状の部材は２種類あればよく、この第１の枠体の製造コストの上昇を抑制することができる。また、第１の枠体を４分割構造とすることにより、各部材の寸法を小さくすることができ、製造コストの低減を図ることができる。
【００１６】
また、第１の枠体を、略Ｌ字形状に形成される部材と、その間に配置される略直線棒状に形成される部材とを組み合わせる構成とすれば、各部材の寸法を小さくできるから、製造コストの上昇を抑制することができる。
【００１７】
そして、温度変化により第１の枠体を構成する各部材が寸法変化した場合であっても、各部材どうしの継ぎ目において寸法変化を吸収することができる。
【００１８】
また、従来は、バックライトアングル上のランプホルダが存在しない辺は、反射シートを曲げ起こすことによって、光源からの光を反射させて表示パネルに入射させていたが、第１の枠体に反射面を設けることにより、反射シートを曲げ起こす必要がなくなる。
【発明を実施するための最良の形態】
【００１９】
以下、本発明の実施形態について、図面を参照して詳しく説明する。
【００２０】
図１は、本発明に係る光学シート類の支持構造を備える表示装置の実施形態を示した図であり、具体的には、本発明に係る光学シート類の支持構造を備える液晶表示装置の組み付け構造を模式的に示した分解斜視図である。なお、以下本発明に係る光学シート類の支持構造、および本発明に係る表示装置を、それぞれ「本構造」、「本表示装置」と称することがある。
【００２１】
まず、本構造を備える本表示装置の構成の概略について、図１を参照して説明する。本表示装置１は、光源の冷陰極管４と、冷陰極管４から発せられる光を反射させる反射シート３と、冷陰極管４から発せられた光の特性を調整する光学シート類６と、この光学シート類６を通過した光を透過させて画像を可視状態に表示する表示パネル８とを備える。そして、ランプホルダ５とフレーム７を備え、冷陰極管４がランプホルダ５に支持され、表示パネル８がフレーム７に支持されるとともに、光学シート類６がランプホルダ５とフレーム７との間に挟持されて支持される。さらに、平板状に形成されるバックライトアングル２と、開口した四辺形に形成されるベゼル９とを備え、これらバックライトアングル２とベゼル９との間に、反射シート３、冷陰極管４、ランプホルダ５、光学シート類６、フレーム７、表示パネル８が配置される構成を備える。
【００２２】
このような構成を有する表示装置１の組み付け方法は、次の通りである。本明細書においては、ベゼル９が配置される側（図１においては上方側）を本表示装置１の前面側と称し、バックライトアングル２が配置される側（図１においては下方側）を本表示装置１の背面側と称する。
【００２３】
バックライトアングル２の前面側に反射シート３を布設し、その前面側に冷陰極管４を並べて配置し、そこにランプホルダ５を装着する。これにより冷陰極管４がバックライトアングル２上に保持される。さらに、ランプホルダ５の前面側に光学シート類６を載置し、そこへフレーム７を装着し、このフレーム７の前面側に表示パネル８を載置し、さらにベゼル９を装着する。そして、ベゼル９とフレーム７、ベゼル９とランプホルダ５、フレーム７とバックライトアングル２とをそれぞれネジなど（図示せず）により結合する。これにより本表示装置１が組み付けられる。
【００２４】
次いで、本表示装置１を構成する各部材について説明する。図１に示すように、バックライトアングル２は平板状に形成される部材で、たとえば金属板材からプレス加工などにより形成される。反射シート３は表面の反射率が高い平らなシート状の部材で、たとえば合成樹脂材料などから形成される。これらバックライトアングル２および反射シート３と、光源として用いる冷陰極管４は、従来一般に用いられるものが適用できるため、詳細な説明は省略する。
【００２５】
ランプホルダ５は、それぞれ略Ｌ字形状に形成される第１の部材５１と第２の部材５２とを備え、これら第１の部材５１と第２の部材５２を組み合わせることによって、開口した四辺形に形成される。
【００２６】
図２は、ランプホルダ５を形成する第１の部材５１と第２の部材５２の構造を模式的に示した外観斜視図であり、それぞれ（ａ）が第１の部材５１を、（ｂ）が第２の部材５２を示す。また、図２（ｃ）は、図２（ａ），（ｂ）に示す第１の部材５１あるいは第２の部材５２のＡ−Ａ線断面図である。図２に示すように、第１の部材５１および第２の部材５２は、それぞれ略Ｌ字形状に形成され、前面側には、光学シート類６を支持する支持面５０１が形成される。そしてこの支持面５０１の内周面側には、この支持面５０１に対して所定の傾斜角を有する反射面５０３が形成される。また、支持面５０１の外周面側には、前面側に向かって衝立状に突出する立壁５０２が形成される。
【００２７】
また、第１の部材５１と第２の部材５２は、ともに先端部が、隣接する他の部材５２，５１の先端部と互いに連結可能に構成される。具体的には図２に示すように、各部材５１，５２の一方の先端部（図２（ａ）において左側に位置する先端部、図２（ｂ）において上側に位置する先端部）には、支持面５０１および反射面５０３から一段低い段差面状の重畳部５０４が形成され、さらにこの重畳部５０４から係合腕５０５が延設される。他の先端部（図２（ａ）において右側に位置する先端部、図２（ｂ）において下側に位置する先端部）には、図２（ｃ）に示すように、係合片５０６が支持面５０１の背面側に浮いた状態に架設される。
【００２８】
このほか、第１の部材５１および第２の部材５２の支持面５０１の外周縁近傍に、前面に向かって突出するネジ止め部５９１とベゼル用係合片５９２とが形成される。このネジ止め部５９１は、中心にネジ孔が形成される略円筒形状を有する。
【００２９】
これら第１の部材５１および第２の部材５２は、たとえば合成樹脂材料によりそれぞれ一体に形成される。そして、少なくともそれぞれ反射面５０３は、光の反射率が高い白色系の色彩であることが好ましい。具体的には、白色のポリカーボネート樹脂などが適用できる。
【００３０】
これら第１の部材５１と第２の部材５２とを連結するには、第１の部材５１と第２の部材５２の先端部どうしを突き合わせ、係合腕５０５を相手方の先端部の支持面５０１の背面と係合片５０６の間に挿入するとともに、重畳部５０４を相手方の先端部の支持面５０１および反射面５０３の背面側に重畳させる。これにより、開口した四辺形のランプホルダ５が形成される。この際に、第１の部材どうし、第２の部材どうしが対角に位置するように配置する。
【００３１】
なお、係合腕５０５は相手方の支持面５０１の背面と係合片５０６との間に挿入されるのみであるから、第１の部材５１と第２の部材５２を連結した状態であっても、係合腕５０５は挿抜自在に往復動できる。そして、重畳部５０４が相手方の部材の支持面５０１登坂斜面５０３の背面側に重畳しているから、先端部どうしの間に隙間が生じることがない。
【００３２】
図３は、ランプホルダ５の外観斜視図であり、第１の部材５１と第２の部材５２とが連結された状態を示す。この図３に示すように、ランプホルダ５の前面側には、四辺にわたって支持面５０１が形成され、この支持面５０１が立壁５０２により取り囲まれる形態を有する。また、反射面５０３は、背面側から前面側に向かって開口面積が大きくなるような傾斜面を形成し、前面側に向けて光を反射させるように構成される。第１の部材５１及び第２の部材５２は、連結部において挿抜自在に往復動できるから、ランプホルダ５の各辺は、長手方向（すなわち、それぞれ矢印ａの方向）に伸縮自在となる。
【００３３】
図４は、本表示装置１のランプホルダ５，フレーム７、ベゼル９のそれぞれの部材の構造と、光学シート類６、表示パネル８を含めた組み付け構造を模式的に示した分解斜視図である。
【００３４】
図４を参照して説明すると、フレーム７は、たとえば金属板材をプレス加工するなどして形成されるものであり、従来一般に用いられるものと略同一の構成を有する。そして、開口した四辺形に形成され、その断面は、外周側が背面側に向かって曲げ起こされた略Ｌ字形状に形成される。前面側には、表示パネル８を位置決めして載置するための位置決め片７１が曲げ起こされて形成されるほか、ランプホルダ５のベゼル用係合突起５９２を係合する係合孔７４や、ネジ止め部５１９を挿通するための挿通孔７５が形成される。このほか、ベゼル９と結合するためのネジ孔、バックライトアングル２と結合するためのネジ孔などが形成されるが、図では省略してある。
【００３５】
ベゼル９は、たとえば金属板材をプレス加工するなどして形成される部材であり、従来一般に用いられるものと略同一の構成を有する。このベゼル９も開口した四辺形を有し、その断面は、外周面側が背面側に向かって曲げ起こされた略Ｌ字形状に形成される。そして、ランプホルダ５のネジ止め部５９１を挿通するための挿通孔９２や、係合突起５９２を係合するための係合孔９３が形成される。このほか、フレーム７と結合するためのネジを通す挿通孔９１、フレーム７とバックライトアングル２とを結合するためのネジ孔などが形成されるが、図では省略してある。
【００３６】
なお、フレーム７およびベゼル９に形成される挿通孔７５，９２や係合孔７４，９３は、それぞれ辺の長手方向に沿って長い長孔形状を有する。このため、ランプホルダ５のネジ止め部５１９や係合突起５１６は、挿通孔７５，９２内や係合孔７４，９３内を各辺の長手方向に沿って往復動できる。
【００３７】
表示パネル８は、液晶を挟持した一対の基板と、この液晶の配向状態を制御する駆動回路基板とを備える。この表示パネル８は従来一般の液晶表示パネルが適用できることから、詳細な説明は省略する。
【００３８】
このようなランプホルダ５、光学シート類６、フレーム７、表示パネル８、ベゼル９の組み付け構造の詳細は、次の通りである。
【００３９】
図４に示すように、光学シート類６は、その四辺の周縁部がランプホルダ５の支持面５０１に載置される。ここで、光学シート類６の周縁部に形成される切り欠６１きがランプホルダ５の支持面５０１の位置決め片５０７に係合することにより位置決めされる。
【００４０】
そして、光学シート類６が載置されたランプホルダ５にフレーム７が装着されると、ランプホルダ５の立壁５０２の先端とフレーム７の背面側とが隙間なく当接する。このため、光学シート類６は、その四辺の周縁部がランプホルダ５の支持面５０１とフレーム７の背面側との間に挟持されるとともに、立壁５０２に囲まれる形態で支持される。
【００４１】
表示パネル８は、フレーム７の前面側に形成される位置決め片７１に囲まれた領域に載置され、その前面側からベゼル９が装着される。そして、ランプホルダ５の係合突起５９２が、ベゼル９およびフレーム７に形成される係合孔７４，９３に係合する。また、ネジ止め部５９１は、挿通孔７５，９２を貫通してベゼル９の前面側に露出する。この状態で、ベゼル９とフレーム７、ベゼル９とランプホルダ５、フレーム７とバックライトアングル２とをそれぞれ結合する。
【００４２】
ベゼル９とフレーム７はネジ止めにより一体に組み付けられる。これにより、表示パネル８はベゼル９とフレーム７との間に挟持されて支持される。また、フレーム７とバックライトアングル２も、ネジ止めにより一体に組み付けられる。
【００４３】
ベゼル９とランプホルダ５とは、ベゼル９およびフレーム７の挿通孔７５，９２を貫通してベゼル９の前面に露出するランプホルダ５のネジ止め部５１９にネジを締結することにより結合する。これにより、光学シート類６がランプホルダ５とフレーム７との間に挟持された状態で支持される。このように、光学シート類６は、その四辺の周縁部がランプホルダ５の支持面５０１とフレーム７との間に挟持されて支持される。したがって、光学シート類の変形が抑制され、撓み変形によって抜け落ちることを防止できる。
【００４４】
このように、従来のように光学シート類を支持するために専用アングルが不要となるから、表示装置の軽量化や製造コストの削減を図ることができる。
【００４５】
また、このような構造によれば、ランプホルダ５と、ベゼル９及びフレーム７の結合体の熱膨張率の相違に起因する伸縮量の差を吸収することができる。すなわち、本表示装置１の使用時における冷陰極管４の発熱やその他の原因で表示装置１の内部の温度が上昇すると、ランプホルダ５、ベゼル９やフレーム７などの各部材が熱膨張する。一般に樹脂材料と金属材料との熱膨張率の差が大きいことから、樹脂材料により形成されるランプホルダ５の各辺の伸び量と、金属材料により形成されるベゼル９やフレーム７の各辺の伸び量とに大きな差が生じる。
【００４６】
前述の通り、ランプホルダ５を構成する第１の部材５１及び第２の部材５２は、それぞれ連結部において辺の長手方向に往復動可能であり、かつ、ネジ止め部５１９や係合突起５１６もベゼル９およびフレーム７の辺の長手方向に往復動できる。したがって、第１の部材５１および第２の部材５２は、互いに連結する相手方の部材や、ベゼル９あるいはフレーム７に干渉あるいは拘束されることなく、伸縮することができる。
【００４７】
このように、略Ｌ字形状からなる部材を組み合わせて、それぞれの辺の中間で伸縮自在に連結する構成とすることにより、光学シート類６の四辺を支持して光学シート類６の変形を抑制しつつ、温度変化に起因する各部材の伸縮量の差を吸収することができる。
【００４８】
そして、第１の部材５１あるいは第２の部材５２が伸縮したとしても、重畳部によりこれらの各部材５１，５２の間には隙間が生じないから、光学シート類６、ランプホルダ５、反射シートに囲まれた空間への塵埃の侵入や、あるいはこの空間からの光の漏れを防止できる。
【００４９】
また、冷陰極管４から発せられた光は、ランプホルダ５の反射面５０３で反射して表示パネル８に入射するから、従来のように、反射シートを曲げ起こして反射面を形成する必要（図６参照）がなくなる。
【００５０】
一方、冷陰極管４を取り外すためには、フレーム７とバックライトアングル２との間のネジによる結合を解除すればよい。バックライトアングル２は、フレーム７と結合しているのみであり、ランプホルダ５およびフレーム７はベゼル９に結合している。したがって、フレーム７とバックライトアングル２との間の結合を解除してベゼル９を取り外すと、表示パネル８、フレーム７、光学シート類６及びランプホルダ５が一体的にバックライトアングル２から外れ、直ちに冷陰極管４が露出する。また、光学シート類６はランプホルダ５とフレーム７との間に支持される状態のままであるから、光学シート類６がバラバラになることもない。このように、極めて簡単に冷陰極管４を取り外し可能な状態とすることができる。
【００５１】
本構成は、特にサイズの大きい光学シート類の支持構造として好適に適用できる。すなわち光学シート類はいずれも薄いシート状の部材であるから、サイズが大きくなるに従って自重による撓み変形が生じ、抜け落ちやすくなる。このため、サイズの大きい光学シート類を抜け落ちないように支持するためには、光学シート類の撓み変形を抑制する構造が必要となる。本構造によれば、光学シート類６の四辺がランプホルダ５とフレーム７との間に挟持されるから、光学シート類のサイズが大きくなっても撓み変形の発生を抑制できる。
【００５２】
そして、サイズが大きくなるに従って、温度変化によるランプホルダ５と、ベゼル９やフレーム７の伸縮量の差も大きくなるが、この伸縮量の差は、前述のようにランプホルダ５を構成する第１の部材５１と第２の部材５２の連結部分において吸収ができる。このように、略Ｌ字形状からなる部材を組み合わせてランプホルダ５を形成し、四辺のそれぞれ中間で伸縮自在に連結する構成とすれば、光学シート類６の撓み変形を抑制しつつ、温度変化に起因する各部材の伸縮量の差を吸収することが可能となる。したがって、サイズの大きい光学シート類の支持構造として好適に適用できる。
【００５３】
次いで、第２の実施形態について説明する。図５は、本構造あるいは本表示装置の第２の実施形態に適用されるランプホルダ５’の外観斜視図である。第２の実施形態に適用されるランプホルダ５’は、略Ｌ字形状に形成される第１の部材５３及び第２の部材５４と、略直線棒状に形成される第３の部材５５及び第４の部材５６とを備える。そして第１の部材５３どうし、第２部部材５４どうしがそれぞれ対角に配置され、第１の部材５３と第２の部材５４の間には、それぞれ第３の部材５５または第４の部材５６が配置される。そして、各部材５３，５４，５５，５６の先端部どうしが連結され、これによりランプホルダ５’は、開口した四辺形に形成される。
【００５４】
第２の実施形態におけるランプホルダ５’と、第１の実施形態におけるランプホルダ５とは、ランプホルダをＬ字形状の部材と直線形状の部材を組み合わせてランプホルダを形成するか、ランプホルダをＬ字形状の部材のみを組み合わせて形成するかが相違するのみであり、これ以外の構成は同一である。すなわち、各部材５４，５５，５６，５７とも、一端には重畳部及び係合腕が形成され、他の一端には係合腕と係合する係合片が形成される。これ以外の構成も第１の実施形態におけるランプホルダ５と同一の構成を備えることから、説明は省略する。また、バックライトアングル、光学シート類、フレーム、表示パネル、ベゼルとの組み付け手順及び組み付け構造も第１の実施形態と同一であることから説明は省略する。
【００５５】
このような構成によれば、第１の実施形態において説明したのと略同一の作用効果を奏することができる。なお、Ｌ字形状に形成される第１の部材５３と第２の部材５４とは、同一形状に形成されるものであってもよい。このようにすれば、略Ｌ字形状に形成される部材は１種類のみとなり、ランプホルダ５’を構成する部材の種類を減らすことができるから、製造コストの上昇を抑制することができる。
【００５６】
また、図示しないが、四辺の長辺にのみ直線棒状の部材（図５においては第３の部材５５）を配置し、短辺には直線棒状の部材を配置しない構成であってもよい。この場合には、短辺は、第１の部材５３及び第２の部材５４の直線部分を長く設計することにより第１の部材５３と第２の部材５４とを直接的に連結する構成となる。
【００５７】
以上、本発明の実施形態について詳細に説明したが、本発明は前記各実施形態に何ら限定されるものではなく、本発明の趣旨を逸脱しない範囲で種種の改変が可能である。たとえば、前記各実施形態においては、ランプホルダ５，５’の反射面５０３は、支持面５０１に対して所定の角度を有する傾斜面状に形成される構成を示したが、直角に形成されるものであってもよく、角度が限定されるものではない。
【図面の簡単な説明】
【００５８】
【図１】本発明に係る光学シート類の支持構造を備える表示装置の構造を模式的に示した分解斜視図である。
【図２】ランプホルダを形成する各部材の構造を示した外観斜視図であり、（ａ）は第１の部材５１、（ｂ）は第２の部材５２を示す。
【図３】前記第１の部材５１と第２の部材５２を組み合わせて形成されたランプホルダの外観斜視図である。
【図４】ランプホルダ、フレーム、ベゼルの各部材の構造と、これらの部材の組み付け構造を示した斜視図である。
【図５】第２の実施形態のランプホルダを示した外観斜視図である。
【図６】従来の表示装置の構造を模式的に示した分解斜視図である。
【符号の説明】
【００５９】
１  表示装置
２  バックライトアングル
３  反射シート
４  冷陰極管
５  ランプホルダ
６  光学シート類
７  フレーム
８  表示パネル部品
９  ベゼル
５１  第１の部材
５２  第２の部材
【図１】
2006154325.tif 000003
【図２】
2006154325.tif 000004
【図３】
2006154325.tif 000005
【図４】
2006154325.tif 000006
【図５】
2006154325.tif 000007
【図６】
2006154325.tif 000008